(57)【要約】【課題】外部から供給された電力を有効に利用し、使用中の電化製品に対する安定した電力供給を可能とする電力供給システムを提供することを目的とする。【解決手段】電力線Ｘ１，Ｘ２に接続される各コンセントＡ〜Ｆにおいて、コンセントＡ〜Ｆの出力端子４２の接続先が、電力線切換部３４により、電力線Ｘ１が接続された入力端子３２ａと、電力線Ｘ２が接続された入力端子３２ｂと、の間で切換可能に構成されている。そして、電流検出部１８にて検出された電流量が限界値を超えると、制御部２０は、限界値を超えた電力線に接続されたコンセント３０のうち、切換情報にて切り換えを許可されたコンセント３０にスイッチの切換指令を送信する。一方、制御部３８は受信した切換指令に基づいて、電力線切換部３４のスイッチを切り換えることにより、出力端子４２の接続先を、入力端子３２ａと入力端子３２ｂとの間で切り換える。【選択図】図１
2011097827.tif 000002
【特許請求の範囲】
【請求項１】
外部から供給された電力を、規定以上の電流の流通を遮断するブレーカを介して複数の給電経路に分配し、各給電経路により電子機器に電力を供給する電力供給システムであって、
前記複数の給電経路のうち、少なくとも１つの経路を流れる電流量を検出する第１電流検出手段と、
前記給電経路毎に複数設けられ、前記電子機器を接続するための電源端子と、
前記第１電流検出手段により電流量が検出される給電経路に設けられた電源端子のうちの少なくとも１つの接続先を、既に接続された元の給電経路とは異なる他の給電経路に切り換えるための接続切換手段と、
前記第１電流検出手段により検出された電流量が予め設定された限界値を超えると、該限界値を超えた電流量が検出された給電経路に設けられた電源端子のうちの少なくとも１つの接続先を、前記接続切換手段により元の給電経路から他の給電経路に切り換える切換制御手段と、
を備えたことを特徴とする電力供給システム。
【請求項２】
前記切換制御手段は、
前記第１電流検出手段により検出された電流量が、予め設定された限界値を超えた場合に、前記電源端子の接続先を他の給電経路に切り換えた場合の切換先の給電経路の電流量が、予め設定された所定値を超えるか否かを判定する判定手段を備え、
該判定手段により前記切換先の給電経路の電流量が前記所定値を超えないと判定すると、前記接続切換手段により、前記電源端子の接続先を切り換えることを特徴とする請求項１に記載の電力供給システム。
【請求項３】
前記第１電流検出手段は、前記電源端子の切換先の給電経路の電流量も検出するように構成されており、
前記判定手段は、
前記第１電流検出手段により検出された切換先の給電経路の電流量が、予め設定された判定値より小さいか否かを判断することにより、前記電源端子の接続先を他の給電経路に切り換えた場合の切換先の給電経路の電流量が、前記所定値を超えるか否かを判定することを特徴とする請求項２に記載の電力供給システム。
【請求項４】
前記接続切換手段により接続先を切換可能にされた電源端子を流れる電流量を検出する第２電流検出手段を備え、
前記第１電流検出手段は、前記電源端子の切換先の給電経路の電流量も検出するように構成されており、
前記判定手段は、
前記第１電流検出手段により検出された切換先の給電経路の電流量及び前記第２電流検出手段により検出された電流量に基づいて、前記電源端子の接続先を他の給電経路に切り換えた場合の切換先の給電経路の電流量が、前記所定値を超えるか否かを判定することを特徴とする請求項２に記載の電力供給システム。
【請求項５】
前記接続切換手段により接続先を切換可能にされた電源端子への通電を遮断する遮断手段を備え、
前記切換制御手段は、
前記判定手段により前記切換先の給電経路の電流量が前記所定値を超えると判定した場合に、前記限界値を超えた電流量が検出された元の給電経路に設けられた電源端子のうちの少なくとも１つへの通電を前記遮断手段により遮断することを特徴とする請求項２〜請求項４の何れかに記載の電力供給システム。
【請求項６】
前記切換制御手段により、前記電源端子の接続先が他の給電経路に切り換えられた状態において、該電源端子の接続先を元の給電経路に切り換えた場合の元の給電経路の電流量が前記限界値を超えるか否かを判断し、前記限界値を超えない場合に、前記接続切換手段により前記電源端子の接続先を元の給電経路に切り換える復帰手段を備えたことを特徴とする請求項１〜請求項５の何れかに記載の電力供給システム。
【請求項７】
前記接続切換手段は前記電源端子と共に設けられており、
前記切換制御手段は前記給電経路上に設けられ、電力線を介して通信することにより前記接続切換手段により前記電源端子の接続先を切り換えることを特徴とする請求項１〜請求項６の何れかに記載の電力供給システム。
【請求項８】
前記接続切換手段は、複数の電源端子の接続先を切換可能に構成されており、
前記切換制御手段は、前記接続切換手段により接続先を切り換える電源端子を、予め設定された切換情報に基づいて選択する選択手段を備え、前記第１電流検出手段により検出された電流量が前記限界値を超えた場合に、前記選択手段により選択した電源端子の接続先を切り換え、
さらに、
外部から前記切換情報を入力するための入力手段を備えたことを特徴とする請求項１〜請求項７の何れかに記載の電力供給システム。
【発明の詳細な説明】
【技術分野】
【０００１】
本発明は、電力会社から電力の供給を受ける建造物内において、供給された電力を有効に利用するための電力供給システムに関する。
【背景技術】
【０００２】
従来より、一般住宅等には、電力会社との契約電流のみを流通させるための契約ブレーカ、電化製品や屋内配線の漏電を検知して自動的に電流を遮断する主幹ブレーカ等を備えた分電盤が設置されており、この分電盤を介して、住宅内の各コンセント等に電力が供給されている。そして、このような分電盤においては、上記各ブレーカを介して入力された電力が複数の給電経路に分岐されるが、電力の超過使用や、電化製品のショート等により主幹ブレーカが動作して住宅全体が停電になることを防止するために、所定以上の電流が流通した際に電流を遮断するための分岐ブレーカを介して分岐されている。
【０００３】
このため、例えば、消費電力の大きい機器が使用されて所定以上の電流が経路上を流れると、分岐ブレーカが作動して電流が遮断されるが、通常、各給電経路は複数のコンセントに接続されているために、同じ給電経路に接続された全てのコンセントへの電力供給が遮断され、このコンセントに接続された全ての電化製品が突然使用できなくなるという問題があった。
【０００４】
そこで、ブレーカを流通する電流量を監視し、電流量が所定量を超えたときに使用者に警告をしたり、給電を停止しても差し支えのない電化製品への給電を選択的に遮断するように構成された給電遮断システムが提案されている（例えば特許文献１等参照）。
【先行技術文献】
【特許文献】
【０００５】
【特許文献１】特許第２７３２２１１号公報
【発明の概要】
【発明が解決しようとする課題】
【０００６】
しかしながら、上記提案のシステムでは、使用者が警告に気づかず、電化製品の使用を中止しなかった場合には、例えば、住宅全体での電流の使用量が契約電流に達していないとしても、使用中の電化製品への給電が遮断されてしまうという問題があった。
【０００７】
本発明は、こうした問題に鑑みなされたもので、外部から供給された電力を有効に利用し、使用中の電化製品に対する安定した電力供給を可能とする電力供給システムを提供することを目的とする。
【課題を解決するための手段】
【０００８】
かかる目的を達成するためになされた請求項１に記載の発明は、外部から供給された電力を、規定以上の電流の流通を遮断するブレーカを介して複数の給電経路に分配し、各給電経路により電子機器に電力を供給する電力供給システムであって、
前記複数の給電経路のうち、少なくとも１つの経路を流れる電流量を検出する第１電流検出手段と、
前記給電経路毎に複数設けられ、前記電子機器を接続するための電源端子と、
前記第１電流検出手段により電流量が検出される給電経路に設けられた電源端子のうちの少なくとも１つの接続先を、既に接続された元の給電経路とは異なる他の給電経路に切り換えるための接続切換手段と、
前記第１電流検出手段により検出された電流量が予め設定された限界値を超えると、該限界値を超えた電流量が検出された給電経路に設けられた電源端子のうちの少なくとも１つの接続先を、前記接続切換手段により元の給電経路から他の給電経路に切り換える切換
制御手段と、
を備えたことを特徴とする。
【０００９】
このように、本発明の電力供給システムにおいては、電子機器を接続するための電源端子が給電経路毎に複数設けられており、第１電流検出手段が、複数の給電経路のうち、少なくとも１つの経路を流れる電流量を検出する。
【００１０】
そして、第１電流検出手段により電流量が検出される給電経路に設けられた電源端子のうちの少なくとも１つの接続先は、接続切換手段により、既に接続された元の給電経路とは異なる他の給電経路に切り換え可能に構成されており、第１電流検出手段により検出された電流量が予め設定された限界値（ブレーカにより電流の流通が遮断される遮断電流量と等しいか、または、遮断電流量以下の値）を超えると、切換制御手段が、限界値を超えた電流量が検出された給電経路に設けられた電源端子のうちの少なくとも１つの接続先を、接続切換手段により元の給電経路から他の給電経路に切り換える。
【００１１】
よって、本発明の電力供給システムによれば、給電経路の電流量が予め設定された限界値を超えたときに、給電経路に設けられた電源端子のうちの少なくとも１つの電源端子の接続先が元の給電経路から他の給電経路に切り換えられるので、元の給電経路を流通する電流量が遮断電流量を超えて、電力が遮断されることを防止できる。このため、この給電経路に設けられた夫々の電子機器は、元の給電経路または他の給電経路を介して電力供給を受けることができるので、外部から供給された電力を有効に利用し、使用中の電子機器に対する安定した電力供給が可能となる。
【００１２】
次に、請求項２に記載の発明は、請求項１に記載の電力供給システムにおいて、切換制御手段は、第１電流検出手段により検出された電流量が予め設定された限界値を超えた場合に、判定手段により、電源端子の接続先を他の給電経路に切り換えた場合の切換先の給電経路の電流量が予め設定された所定値（ブレーカにより電流の流通が遮断される遮断電流量と等しいか、または、遮断電流量以下の値）を超えるか否かを判定し、判定手段により切換先の給電経路の電流量が所定値を超えないと判定すると、接続切換手段により、電源端子の接続先を切り換えることを特徴とする。
【００１３】
従って、請求項２に記載の電力供給システムによれば、電源端子が接続された給電経路とは異なる他の給電経路を流れる電流量が所定値を超えない場合にのみ、電源端子の接続先が切り換えられるので、他の給電経路の電流量が遮断電流量を超えてブレーカにより電力が遮断されてしまい、他の給電経路に接続された全ての電源端子が使用できなくなることを防止できる。
【００１４】
次に、請求項３に記載の発明は、請求項２に記載の電力供給システムにおいて、第１電流検出手段が、電源端子の切換先の給電経路の電流量も検出するように構成されており、判定手段が、第１電流検出手段により検出された切換先の給電経路の電流量が、予め設定された判定値より小さいか否かを判断することにより、電源端子の接続先を他の給電経路に切り換えた場合の切換先の給電経路の電流量が、所定値を超えるか否かを判定することを特徴とする。
【００１５】
ここで、判定手段は、例えば、切換先の給電経路に接続された電源端子に電子機器が接続されているか否か等により切換先の給電経路の電流量が、所定値を超えるか否かを判定する判定することも可能であるが、請求項３に記載の発明によれば、電源端子の接続先が切り換えられても、切換先の給電経路の電流量がブレーカの遮断電流量を超えないと予想される値を判定値として設定しておくことにより、第１電流検出手段を用いて、切換先の給電経路の電流量が所定値を超えるか否かを判定できる。
【００１６】
次に、請求項４に記載の発明は、請求項２に記載の電力供給システムにおいて、第１電流検出手段が、電源端子の切換先の給電経路の電流量を検出すると共に、第２電流検出手段が、接続切換手段により接続先を切換可能にされた電源端子を流れる電流量を検出するように構成されており、判定手段が、第１電流検出手段により検出された切換先の給電経路の電流量及び第２電流検出手段により検出された電流量に基づいて、電源端子の接続先を他の給電経路に切り換えた場合の切換先の給電経路の電流量が、所定値を超えるか否かを判定することを特徴とする。
【００１７】
従って、請求項４に記載の電力供給システムによれば、第１電流検出手段及び第２電流検出手段により検出された電流量に基づいて、電源端子を実際に切り換えた場合の切換先の給電経路の電流量が所定値を超えるか否かを判定するので、より正確に判定することができる。
【００１８】
次に、請求項５に記載の発明は、請求項２〜請求項４の何れかに記載の電力供給システムにおいて、接続切換手段により接続先を切換可能にされた電源端子への通電が、遮断手段により遮断可能に構成されており、切換制御手段は、判定手段により切換先の給電経路の電流量が所定値を超えると判定した場合に、限界値を超えた電流量が検出された元の給電経路に設けられた電源端子のうちの少なくとも１つへの通電を遮断手段により遮断することを特徴とする。
【００１９】
従って、請求項５に記載の電力供給システムによれば、給電経路の電流量が予め設定された限界値を超え、しかも、電源端子の接続先を他の給電経路に切り換えられないときに、この電源端子への通電が遮断されるので、この給電経路に接続された全ての電源端子が使用できなくなることを防止でき、通電が遮断される電源端子を最小限にすることができる。
【００２０】
次に、請求項６に記載の発明は、請求項１〜請求項５の何れかに記載の電力供給システムにおいて、切換制御手段により、電源端子の接続先が他の給電経路に切り換えられた状態において、復帰手段が、電源端子の接続先を元の給電経路に切り換えた場合の元の給電経路の電流量が限界値を超えるか否かを判断し、限界値を超えない場合に、接続切換手段により電源端子の接続先を元の給電経路に切り換えることを特徴とする。
【００２１】
従って、請求項６に記載の電力供給システムによれば、接続切換手段により電源端子の接続先を元の給電経路に切り換えた場合に、元の給電経路を流れる電流量が限界値を超えないときに接続先が切り換えられるので、ブレーカにより遮断されるおそれが無い場合に、電源端子の接続先を自動的に元の給電経路に復帰させることができる。
【００２２】
次に、請求項７に記載の発明は、請求項１〜請求項６の何れかに記載の電力供給システムにおいて、接続切換手段が電源端子と共に設けられていると共に、切換制御手段が給電経路上に設けられ、切換制御手段が、電力線を介して通信することにより接続切換手段により電源端子の接続先を切り換えることを特徴とする。
【００２３】
従って、請求項７に記載の電力供給システムによれば、例えば、分電盤や、電源端子に接続されたパソコン等、給電経路上に設けられた各種電子機器によりシステムを構築することができ、分電盤やパソコン等において、給電経路と電源端子との接続状態を管理することができる。
【００２４】
次に、請求項８に記載の発明は、請求項１〜請求項７に記載の電力供給システムにおいて、接続切換手段は、複数の電源端子の接続先を切換可能に構成されており、切換制御手
段は、第１電流検出手段により検出された電流量が限界値を超えた場合に、選択手段により、接続切換手段にて接続先を切り換える電源端子を、予め設定された切換情報に基づいて選択し、選択した電源端子の接続先を切り換える。また、入力手段が、外部からの入力により切換情報を入力する。
【００２５】
従って、請求項８に記載の電力供給システムによれば、切換情報として、各電源端子毎に切り換えを許可するか否かを設定しておけば、例えば、冷蔵庫やパソコン等の電力が遮断されると不都合が生じる電子機器が接続された特定の電源端子の接続先の切り換えを禁止し、充電器、ヘアドライヤ等の一時的に電力が遮断されても差し支えの無い電子機器が接続された特定の電源端子の接続先の切り換えを許可することが可能である。また、切換情報として、例えば、電源端子を流れる電流量の値を規定しておけば、この値以上の電流が流れている電源端子の接続先を切り換えることを禁止することもできる。
【００２６】
さらに、切換情報を入力するための入力手段が設けられているので、電源端子に接続する電子機器を取り換えた場合に、接続した電子機器に応じて適宜切換情報を書き換えることができ、接続先の切り換えを禁止する電子機器を変更することが可能である。
【図面の簡単な説明】
【００２７】
【図１】第１実施形態の電力供給システム全体の概略構成を表す構成図である。
【図２】コンセント３０の内部構成を示すブロック図である。
【図３】電力線の使用状況の表示例を示す説明図である。
【図４】分電盤１０にて実行される電力監視処理を示すフローチャートである。
【図５】コンセント３０にて実行されるスイッチ切換処理を示すフローチャートである。
【図６】第２実施形態の電力供給システム全体の概略構成を表す構成図である。
【図７】電源制御装置６０の内部構成を示すブロック図である。
【図８】コンセント９０の内部構成を示すブロック図である。
【図９】電力線の使用状況の表示例を示す説明図である。
【図１０】電源制御装置６０にて実行される電力監視処理を示すフローチャートである。
【図１１】コンセント９０にて実行される電流検出処理を示すフローチャートである。
【発明を実施するための形態】
【００２８】
以下に本発明の実施形態を図面と共に説明する。
［第１実施形態］
図１は、本発明が適用された第１実施形態の電力供給システム全体構成を示す概略構成図である。
【００２９】
本実施形態の電力供給システムは、引き込み線５を介して入力される電力会社からの供給電力を建造物内の各所に配置された電子機器５０に対して電力線を介して供給するためものであり、玄関等に設置された分電盤１０と、この分電盤１０と電力線にて接続されると共に建造物内の各所に配置され、電力線を介して分電盤１０との間で通信可能な複数のコンセント３０と、から構成されている。
【００３０】
ここで、分電盤１０に接続された電力線、各電力線に接続されるコンセント３０は、建造物内に多数設けられるが、以下、多数の電力線のうちの２本電力線Ｌ１，Ｌ２と、この電力線Ｌ１，Ｌ２が接続された、６つのコンセント３０（コンセントＡ〜Ｆ）により、本電力供給システムを説明する。
【００３１】
分電盤１０は、電力会社との契約電流のみを流通させるための契約ブレーカ１２と、電化製品や屋内配線の漏電を検知して自動的に電流を遮断する主幹ブレーカ１４と、建造物内の各所まで敷設され、端部にコンセント３０が接続された複数の電力線に電流を分岐する分岐ブレーカ１６と、を備えている。ここで、分岐ブレーカ１６は、契約ブレーカ１２及び主幹ブレーカ１４を介して外部から入力された電流を複数に分岐して各電力線に分配し、各電力線を規定以上の電流（本実施形態では２０アンペア）が流れた場合に、その電力線への電流の流通を遮断するように構成されている。
【００３２】
また、分電盤１０には、各電力線を流れる電流量を検出するための電流検出部１８と、ＣＰＵ、ＲＡＭ、ＲＯＭ等を備えるマイクロコンピュータからなる制御部２０と、書き換え可能な不揮発性メモリ（例えば、ＥＥＰＲＯＭ）からなる記憶部２２と、各種指令や設定値を入力するための操作ボタンからなる操作部２４と、液晶ディスプレイ（ＬＣＤ）等からなる表示部２６と、電力線モデム２８と、が設けられている。
【００３３】
電流検出部１８は、分岐ブレーカ１６とコンセント３０を繋ぐ電力線を流れる電流量を、各電力線毎に検出し、検出信号を制御部２０に入力する。
記憶部２２には、コンセント３０と、そのコンセント３０に接続されている電力線との対応関係を表す電力線情報、電子機器５０に電力を供給する電力線の切り換えを許可するか否かを示す切換情報、分電盤１０に接続された電力線のうち、実際に電子機器５０に電力を供給している使用中の電力線情報等がコンセント３０毎に記憶されており、また、制御部２０が後述する各種処理を実行する際に必要な各種情報が記憶されている。
【００３４】
制御部２０は、電力線モデム２８に制御信号を入力することにより、電力線モデム２８を介して制御信号をコンセント３０に送信し、コンセント３０を制御する。
例えば、電流検出部１８にて検出された電流量を表す検出信号を読み取り、読み取った検出信号に基づいて、電子機器５０に電力を供給する電力線を切り換えたり、電子機器５０への電力供給を遮断するための制御信号を電力線モデム２８に入力する。
【００３５】
また、例えば、電子機器５０への電力供給を遮断しているコンセント３０に対して電力供給を復帰させる指令が、操作部２４を介して外部から入力されると、入力された指令に基づいて、電力供給を復帰させる指令と、電力供給を復帰させるコンセント３０の識別情報と、を含む制御信号を電力線モデム２８に入力する。
【００３６】
一方、操作部２４を介して切換情報や判定値等の書き換え指令が外部から入力されると、入力された指令に基づいて、記憶部２２に記憶された値を書き換え（本発明の入力手段に相当する）、また、操作部２４を介して表示部２６への電力線使用状況の表示指令が外部から入力されると、記憶部２２やＲＡＭ等に記憶された情報に基づいて、例えば、図３に示すような、電力線使用状況を表示部２６に表示させる。ここで、図３は、液晶ディスプレイからなる表示部２６に表示される電力線使用状況の一例であり、電流量は、電流検出部１８にて検出された電流量を示している。
【００３７】
電力線モデム２８は、分岐ブレーカ１６とコンセント３０との間に設けられており、分岐ブレーカ１６から電力線を介して入力された電力と、制御部２０から出力された制御信号を重ね合わせてコンセント３０側の電力線に出力させる。
【００３８】
図２は、第１実施形態のコンセント３０の内部構成を示すブロック図である。
コンセント３０は、図２に示すように、分電盤１０に接続された２本の電力線Ｌ１，Ｌ２を接続するための２つの入力端子３２と、電子機器５０の接続先の電力線を切り換えるための電力線切換部３４と、入力端子３２と電力線切換部３４との間に設けられた電力線モデム３６と、ＣＰＵ、ＲＡＭ、ＲＯＭ等を備えるマイクロコンピュータからなる制御部３８と、警告音を発生するための報知部４０と、電子機器５０と接続される出力端子４２と、を備えている。
【００３９】
電力線モデム３６は、分電盤１０から出力され、入力端子３２を介して入力された入力信号を、電力（ＡＣ１００Ｖ）と、電力線切換部３４の切り換えを指令する制御信号と、に分離する。
【００４０】
電力線切換部３４は、電力線Ｌ１が接続された入力端子３２ａと出力端子４２との間の接続状態を切り換えるための第１スイッチＳ１と、電力線Ｌ２が接続された入力端子３２ｂと出力端子４２との間の接続状態を切り換えるための第２スイッチＳ２と、から構成されており、制御部３８からの指令を受けて、各スイッチがオン／オフされる。そして、少なくとも一方のスイッチがオフとなるように制御され、一方のスイッチがオンの場合には、電力線Ｌ１または電力線Ｌ２からの何れかの電流が流通されて出力端子４２に電力が供給され、また、両方のスイッチがオフの場合には、電力が遮断される。
【００４１】
制御部３８は、電力線モデム３６にて分離された制御信号を読み取り、制御信号に基づ
いて電力線切換部３４を切り換えたり、報知部４０を介して警告音を発生させる処理を実行する。
【００４２】
なお、コンセント３０は、電力線モデム３６にて分離された電力の一部を使用して動作するように構成されている。
また、電子機器５０は、図１に示すように、パソコン５０ａ、ヘアドライヤ５０ｂ、照明５０ｃ、エアコン５０ｄ等の種々の電化製品である。ここで、本実施形態においては、図３に示すように、パソコン５０ａ、照明５０ｃ、エアコン５０ｄに電力を供給する電力線の切り換えを禁止する、つまり、パソコン５０ａ、照明５０ｃ、エアコン５０ｄの接続されたコンセントＡ、コンセントＣ、コンセントＤの電力線切換部３４の切り換えを禁止するように切換情報が設定されている。
【００４３】
以下に、分電盤１０の制御部２０が実行する電力監視処理の手順を、図４を用いて説明する。図４は、電力監視処理を表すフローチャートである。
この電力監視処理は、電流検出部１８から検出信号が入力されることにより開始され、まず、Ｓ２１０にて、検出信号を読み取り、検出された電流量が予め記憶部２２に記憶された限界値（例えば、１８アンペア）より大きいか否かを判断し、検出された電流量が限界値以下であると判断した場合（Ｓ２１０：ＮＯ）には、Ｓ３００に移行する。
【００４４】
一方、検出された電流量が限界値より大きいと判断した場合には（Ｓ２１０：ＹＥＳ）、Ｓ２２０に移行して、コンセント３０の出力端子４２の接続先が、限界値を超える電流量が検出された電力線であるコンセント３０を抽出し、Ｓ２３０では、抽出したコンセント３０の中から、切換情報に基づいて、電力線切換部３４の切り換えによる出力端子４２の接続先の切り換えが許可されたコンセント３０があるか否かを判断し、切り換えが許可されたコンセント３０がある場合には（Ｓ２３０：ＹＥＳ）、Ｓ２３５に移行して、切り換えが許可されたコンセント３０のうちの１つを、電力線切換部３４の切り換えを行うコンセント３０として、予め設定された規則（例えば、アルファベット順）に基づいて選択し、続くＳ２４０では、記憶部２２に記憶された電力線情報に基づいて、このコンセント３０に接続された、他の１本の電力線を特定する。
【００４５】
そして、続くＳ２５０にて、特定した他の電力線にて検出された電流量が、予め記憶部２２に記憶された判定値（例えば、１０アンペア）より小さいか否かを判断し、電流量が判定値よりも小さい場合には（Ｓ２５０：ＹＥＳ）、Ｓ２６０に移行して、選択したコンセント３０の出力端子４２の接続先の電力線を他の電力線に切り換えるために、電力線切換部３４のスイッチを切り換えるための切換指令と、選択したコンセント３０の識別情報と、からなる制御信号を電力線モデム２８に出力する。
【００４６】
次に、Ｓ２７０では、記憶部２２に記憶された使用中の電力線情報のうち、電力線切換部３４を切り換えたコンセント３０の情報を更新してＳ３００に移行し、Ｓ３００では、更新した電力線情報、及び、電流検出部１８にて検出された電流量に基づいて、表示部２６に表示された電力線使用状況を更新し、当該処理を終了する。
【００４７】
一方、Ｓ２３０にて、切り換えが許可されたコンセント３０がないと判断した場合には（Ｓ２３０：ＮＯ）、Ｓ２７５に移行して、Ｓ２２０で抽出したコンセント３０のうちの１つを、電力線切換部３４の切り換えを行うコンセント３０として、予め設定された規則（例えば、アルファベット順）に基づいて選択し、続くＳ２８０では、選択したコンセント３０の出力端子４２への電力の供給を遮断するために、電力線切換部３４の両方のスイッチをオフに切り換えるための遮断指令と、選択したコンセント３０の識別情報と、からなる制御信号を電力線モデム２８に出力する。そして、Ｓ２９０にて、記憶部２２に記憶された使用中の電力線情報のうち、電力の供給を遮断したコンセント３０の使用電力線の
情報を遮断中に更新し、Ｓ３００に移行する。
【００４８】
また、Ｓ２５０にて、電流量が判定値以上であると判断した場合には（Ｓ２５０：ＮＯ）、Ｓ２８０に移行する。
以下、電力線の使用状況が、図３（ａ）に示すような場合であるときに、電力線Ｌ１に限界値を超える値（例えば、１９アンペア）が流れた場合において、制御部２０にて実行される処理について説明する。処理が開始されると、まず、Ｓ２１０にて、電力線Ｌ１の電流量が、限界値を超えると判断され、Ｓ２２０では、使用電力線が電力線Ｌ１であるコンセントＡ，Ｂ，Ｃが抽出される。そして、続くＳ２３０では、コンセントＡ，Ｂ，Ｃの中から、電力線切換部３４の切り換えが許可されたコンセントがあるか否かが判断され、Ｓ２３５では、コンセントＢが選択される。
【００４９】
次に、Ｓ２４０にて、コンセントＢに接続された他の電力線として電力線Ｌ２が読み取られ、例えば、電力線Ｌ２の電流量が５アンペアであれば、Ｓ２５０では電力線Ｌ２の電流量は判定値より小さいと判断される。そして、Ｓ２６０では、選択したコンセントＢの電力線切換部３４の第１スイッチＳ１をオフに切り換えると共に第２スイッチＳ２をオンに切り換える切換指令と、コンセントＢの識別情報と、からなる制御信号が出力される。
【００５０】
次に、Ｓ２７０では、記憶部２２に記憶されたコンセントＢの使用中の電力線情報が電力線Ｌ１から電力線Ｌ２に更新され、Ｓ３００にて、図３（ｂ）に示すように、電力線情報がＬ１からＬ２に更新され、電流量が電流検出部１８にて検出された電流量により更新される。なお、図３（ａ）は、Ｓ３００による更新前の電力線使用状況であり、図３（ｂ）は、更新後の電力線使用状況である。ここで、図３（ｂ）に示す電流量は、処理の最初に読み取った電流量であるため、電力線切換部３４の切り換え前の電流量が表示されている。
【００５１】
次に、コンセント３０の制御部３８が実行するスイッチ切換処理の手順を、図５を用いて説明する。図５は、スイッチ切換処理を表すフローチャートである。
スイッチ切換処理は、電力線モデム３６にて分離された制御信号が入力されることにより開始され、まずＳ３１０にて、制御信号に含まれる識別情報を読み取り、続くＳ３２０では、読み取った識別情報が、予めＲＯＭ等に設定された識別情報と一致するか否かを判断し、識別情報が一致しない場合には（Ｓ３２０：ＮＯ）、他のコンセント３０への指令であると判断して、当該処理を終了する。
【００５２】
一方、識別情報が一致したと判断した場合には（Ｓ３２０：ＹＥＳ）、Ｓ３３０に移行して、制御信号に含まれる指令が遮断指令か否かを判断し、指令が遮断指令である場合には（Ｓ３３０：ＹＥＳ）、Ｓ３４０に移行して、電力線切換部３４の第１スイッチＳ１及び第２スイッチＳ２の両方をオフに切り換えて出力端子４２への電力の供給を遮断し、続くＳ３５０では、報知部４０を介して警告音を発生させて、当該処理を終了する。
【００５３】
一方、Ｓ３３０にて、指令が遮断指令ではないと判断した場合には（Ｓ３３０：ＮＯ）、Ｓ３６０に移行して、指令が切換指令であるか否かを判断し、指令が切換指令である場合には（Ｓ３６０：ＹＥＳ）、Ｓ３７０に移行して、電力線切換部３４の第１スイッチＳ１及び第２スイッチＳ２のうち、オン状態にあるスイッチをオフに切り換えると共に、オフ状態にあるスイッチをオンに切り換えて、当該処理を終了する。
【００５４】
また、Ｓ３６０にて、指令が切換指令ではないと判断した場合には（Ｓ３６０：ＮＯ）、指令は遮断復帰指令であるとして、Ｓ３８０に移行して、制御信号から復帰させる電力線の情報を読み取り、続くＳ３９０では、Ｓ３８０にて読み取った情報に基づいて、電力線切換部３４の第１スイッチＳ１、または、第２スイッチＳ２の何れかをオンに切り換え
て、当該処理を終了する。
【００５５】
以上、説明したように本実施形態の電力供給システムにおいては、電子機器５０を接続するためのコンセント３０（つまり、コンセントＡ〜Ｆ）が、電力線Ｌ１，Ｌ２に設けられており、電流検出部１８が、各電力線Ｌ１，Ｌ２を流れる電流量を検出する。また、電力線Ｌ１，Ｌ２に接続される各コンセントＡ〜Ｆにおいて、コンセントＡ〜Ｆの出力端子４２の接続先は、電力線切換部３４により、電力線Ｌ１が接続された入力端子３２ａと、電力線Ｌ２が接続された入力端子３２ｂと、の間で切換可能に構成されている。
【００５６】
そして、電流検出部１８にて検出された電流量が予め設定された限界値を超えると、制御部２０は、限界値を超えた電流量が検出された電力線に接続されたコンセント３０のうち、記憶部２２に記憶された切換情報に基づいて電力線切換部３４により接続先の電力線の切り換えを許可されたコンセント３０を選択し、選択したコンセント３０にスイッチの切換指令を送信する。一方、制御部３８は受信した切換指令に基づいて、電力線切換部３４の第１スイッチＳ１及び第２スイッチＳ２の夫々をオンまたはオフすることにより、出力端子４２の接続先を、入力端子３２ａと入力端子３２ｂとの間で切り換える。
【００５７】
よって、本実施形態の電力供給システムによれば、例えば、電力線Ｌ１の電流量が予め設定された限界値を超えたときに、電力線切換部３４の切り換えを許可されたコンセント３０の出力端子４２の接続先が、電力線Ｌ１が接続された入力端子３２ａから、電力線Ｌ２が接続された入力端子３２ｂに切り換えられる。このため、電力線Ｌ１を流通する電流量が分岐ブレーカ１６による遮断電流量を超えて、電力が遮断されることを防止できると共に、コンセント３０に接続された各電子機器５０は電力線Ｌ１または電力線Ｌ２から電力供給を受けることができるので、外部から供給された電力を有効に利用し、使用中の電子機器５０に対する安定した電力供給が可能となる。
【００５８】
そして、切換情報に基づいて選択されたコンセント３０の接続先の電力線が切り換えられるので、例えば、一時的に電力が遮断されても差し支えの無いヘアドライヤ５０ｂ等の電子機器５０が接続されたコンセントＢの出力端子４２の接続先の切り換えを許可し、電力が遮断されると不都合が生じるパソコン５０ａ等の電子機器５０が接続されたコンセントＡの出力端子４２の接続先の切り換えを禁止するように切換情報を設定しておくことで、電力が遮断されると不都合が生じる電子機器５０の電力供給が遮断されることを防止できる。また、この切換情報は、操作部２４を介して書き換え可能に構成されているので、使用者は、コンセントに接続した電子機器５０の種類に応じて、容易に切換情報を書き換えることができる。
【００５９】
また、本実施形態の電力供給システムにおいては、電力線Ｌ１または電力線Ｌ２の何れかで電流量が限界値を超えた場合に、他方の電力線を流れる電流量が判定値より小さいか否かを判断し、判定値よりも小さい場合に、コンセント３０の出力端子４２の接続先が切り換えられるので、他方の電力線の電流量が遮断電流量を超えて分岐ブレーカ１６により電力が遮断されてしまい、他方の電力線に接続された全てのコンセント３０が使用できなくなることを防止できる。
【００６０】
さらに、電力線Ｌ１または電力線Ｌ２の何れかで電流量が限界値を超え、しかも、接続先の電力線の切り換えを許可されたコンセント３０を他方の電力線に接続できないときに、このコンセント３０への通電が遮断されるので、この電力線に接続された全てのコンセント３０が使用できなくなることを防止でき、通電が遮断されるコンセントを最小限にすることができる。
【００６１】
また、本実施形態の電力供給システムにおいては、電力線切換部３４がコンセント３０
に設けられていると共に、電力線切換部３４のスイッチの切換指令を出力する制御部２０が、分電盤１０に設けられており、電力線を介して切換指令を出力することにより、電力線切換部３４のスイッチを切り換えているので、分電盤１０にて、全てのコンセント３０と、電力線との接続状態を管理することができる。
【００６２】
なお、本実施形態において、分岐ブレーカ１６が、本発明のブレーカに相当し、電力線Ｌ１，Ｌ２が本発明の給電経路に相当し、電流検出部１８が本発明の第１電流検出手段に相当し、コンセント３０の出力端子４２が本発明の電源端子に相当し、電力線切換部３４が本発明の接続切換手段及び遮断手段に相当し、Ｓ２１０〜Ｓ２６０、Ｓ２８０の処理が切換制御手段に相当し、Ｓ２５０の処理が本発明の判定手段に相当し、Ｓ２２０〜Ｓ２４０の処理が本発明の選択手段に相当する。
［第２実施形態］
次に、他の実施形態の電力供給システムについて説明する。第１実施形態の電力供給システムにおいては、分電盤１０にて各電力線を流れる電流を検出するようにしたが、第２実施形態の電力供給システムにおいては、コンセントの接続先の電力線をより効率よく切り換えるために、各コンセントに電流検出部を設け、各コンセントを流れる電流量を検出するように構成している。また、第１実施形態においては、各コンセントに接続された２本の電力線を区別なく使用するようにしたが、第２実施形態においては、各コンセントに接続された２本の電力線のうちの１本を通常使用する主電力線とし、他方を、主電力線の電流量が超過しそうな場合にのみ使用する副電力線としており、主電力線による電力の供給を優先するように構成している。以下、第１実施形態と同様の箇所は同様の符号を付して説明を省略し、異なる箇所についてのみ説明する。
【００６３】
第２実施形態の電力送信システムは、引き込み線５を介して入力される電力会社からの供給電力を建造物内の各所に配置された電子機器５０に対して電力線を介して供給するためものであり、契約ブレーカ１２、主幹ブレーカ１４、分岐ブレーカ１６からなる一般的な分電盤５５と、この分電盤５５と電力線にて接続されると共に建造物内の各所に配置された複数のコンセント９０と、分電盤５５とコンセント９０との間に設けられ、電力線を介してコンセント９０との間で通信を行う電源制御装置６０と、から構成されている。
【００６４】
ここで、分電盤５５と電源制御装置６０とを繋ぐ電力線、コンセント９０、電源制御装置６０と各コンセント９０を繋ぐ電力線は、建造物内に多数設けられるが、以下、分電盤５５と電源制御装置６０とを繋ぐ電力線のうちの２本の電力線Ｘ１，Ｘ２、電源制御装置６０と各コンセント９０を繋ぐ電力線のうち、電力線Ｘ１，Ｘ２からの電力をコンセント９０に供給する６本の電力線Ｙ１〜Ｙ６、この電力線Ｙ１〜Ｙ６に接続される６つのコンセント９０（コンセントＡ〜Ｆ）により、本電力供給システムを説明する。
【００６５】
図７は、第２実施形態の電源制御装置６０の内部構成を示すブロック図である。
電源制御装置６０は、図７に示すように、分電盤５５に接続された複数の電力線を接続するための複数の入力端子６２と、コンセント９０の接続先の電力線を切り換えるための電力線切換部６４と、コンセント９０と接続される出力端子８０と、電力線切換部６４と出力端子８０との間に設けられた電力線モデム７０と、ＣＰＵ、ＲＡＭ、ＲＯＭ等を備えるマイクロコンピュータからなる制御部７２と、書き換え可能な不揮発性メモリ（例えば、ＥＥＰＲＯＭ）からなる記憶部７４と、各種指令や設定値を入力するための操作ボタンからなる操作部７６と、液晶ディスプレイ（ＬＣＤ）等からなる表示部７８と、を備えている。
【００６６】
電力線切換部６４は、分電盤５５に接続される２本の電力線Ｘ１，Ｘ２と、コンセント９０に接続される６本の電力線Ｙ１〜Ｙ６との接続を切り換える第１切換スイッチ６６及び第２切換スイッチ６８と、から構成されており、制御部７２からの指令を受けて、各ス
イッチにより、コンセント９０側の６本の電力線Ｙ１〜Ｙ６の接続先が、夫々分電盤５５側の電力線Ｘ１、または、電力線Ｘ２に切り換えられる。
【００６７】
ここで、第１切換スイッチ６６は初期状態として電力線Ｘ１側に接続されるように構成されており、第２切換スイッチ６８は初期状態として電力線Ｘ２側に接続されるように構成されている。このため、初期状態において、出力端子８０に接続された電力線Ｙ１〜Ｙ３の接続先は電力線Ｘ１、電力線Ｙ４〜Ｙ６の接続先は電力線Ｘ２となり、これらの電力線Ｙ１〜Ｙ６に接続されたコンセント９０は、通常時の電力供給ライン（以下、主電力線ともいう）を電力線Ｘ１または電力線Ｘ２とする２つのグループに分類されている。なお、本実施形態の電力線切換部６４では、分電盤５５側の２本の電力線と、コンセント９０側の６本の電力線の接続を切り換えるようにしたが、本数の組合せは、２本と６本に限るものではない。
【００６８】
電力線モデム７０は、電力線切換部６４から電力線を介して入力された電力と、制御部７２から出力された制御信号とを重ね合わせ、制御部７２の指令に基づいて、コンセント９０側の電力線Ｙ１〜Ｙ６の何れかの電力線に、出力端子８０を介して出力させる。また、コンセント９０から出力され、出力端子８０を介して入力された入力信号を、電力（ＡＣ１００Ｖ）と、各電力線Ｙ１〜Ｙ６を流れる電流量を示す検出信号と、に分離する。
【００６９】
記憶部７４には、コンセント９０が初期状態において接続される主電力線、電力線切換部６４により切り換えられた際に接続される副電力線の情報、分電盤５５に接続された電力線Ｘ１，Ｘ２のうち、そのコンセント９０に電力を供給している電力線を示す使用中の電力線の情報、電力線切換部６４による接続先の電力線の切り換えを許可するか否かを示す切換情報、また、制御部７２が後述する各種処理を実行する際に必要な各種情報が記憶されている。
【００７０】
制御部７２は、電力線モデム７０にて分離された電流量を表す検出信号が入力されると、読み取った電流量を、各コンセント９０毎に一端記憶部７４に保存し、検出信号が入力される度に電流量を更新する。また、記憶部７４に保存した電流量に基づいて、分岐ブレーカ１６に接続された電力線Ｘ１，Ｘ２を流れる電流量を算出し、算出結果に基づいて電力線切換部６４を構成する各スイッチを切り換える。また、電力線モデム７０を介してコンセント９０に制御信号を送信し、コンセント９０を制御することにより電子機器５０への電力供給を遮断する。
【００７１】
また、電子機器５０への電力供給が遮断されているコンセント９０への電力供給を復帰させる指令が、操作部７６を介して外部から入力されると、入力された指令に基づいて、指定されたコンセントの識別情報と、後述する遮断スイッチ９４を切り換えるための指令と、からなる制御信号を電力線モデム７０に出力する。
【００７２】
一方、操作部７６を介して切換情報や判定値等の書き換え指令が外部から入力されると、入力された指令に基づいて、記憶部７４に記憶された値を書き換え、また、操作部７６を介して表示部７８への電力線使用状況の表示指令が外部から入力されると、記憶部７４やＲＡＭ等に記憶された情報に基づいて、例えば、図９に示すような、電力線使用状況を表示部７８に表示させる。ここで、図９は、液晶ディスプレイからなる表示部７８に表示される電力線使用状況の一例であり、電流量は、コンセント９０にて検出されたコンセント９０に接続された電力線Ｙ１〜Ｙ６の電流量を示している。また、切換フラグは、制御部７２にて実行される後述する電力監視処理において、各コンセント９０が接続された第１切換スイッチ６６または第２切換スイッチ６８が切り換えられた際にセットされ、初期状態でリセットされるフラグであり、セット時にはＯＮが表示され、リセット時にはＯＦＦが表示される。
【００７３】
図８は、第２実施形態のコンセント９０の内部構成を示すブロック図である。
コンセント９０は、図８に示すように、電源制御装置６０に接続された電力線Ｙ１〜Ｙ６を接続するため入力端子９２と、電子機器５０への電源供給を遮断するための遮断スイッチ９４と、入力端子９２と遮断スイッチ９４との間に設けられた電力線モデム９６と、入力端子９２と電力線モデム９６との間を流れる電流を検出する電流検出部９８と、ＣＰＵ、ＲＡＭ、ＲＯＭ等を備えるマイクロコンピュータからなる制御部１００と、電子機器５０と接続される出力端子１０２と、を備えている。以下、コンセント９０の入力端子９２に電力線Ｙ１が接続されたものとして、各部について説明する。
【００７４】
電力線モデム９６は、分電盤５５から出力され、入力端子９２を介して入力された入力信号を、電力（ＡＣ１００Ｖ）と、遮断スイッチ９４の切り換えを指令する制御信号と、に分離する。また、制御部１００により入力された電流量を示す検出信号と、入力端子３２を介して入力された電力とを重ね合わせて、電源制御装置６０側の電力線Ｙ１に出力させる。
【００７５】
遮断スイッチ９４は、電力線Ｙ１が接続された入力端子９２と出力端子１０２との間の接続状態を切り換えるためのスイッチであり、制御部１００からの指令を受けて、入力端子９２と出力端子１０２を接続するオン状態と、入力端子９２と出力端子１０２との接続を遮断するオフ状態との間で切り換えられる。
【００７６】
電流検出部９８は、電力線Ｙ１を流れる電流量を検出し、検出信号を制御部１００に入力する。
制御部１００は、電流検出部９８にて検出された電流量と、コンセント９０の識別情報と、からコンセント９０の電流量を表す検出信号を電力線モデム９６に入力し、この検出信号を、電力線モデム９６を介して電源制御装置６０に送信する。また、電力線モデム９６にて分離された制御信号を読み取り、制御信号に基づいて遮断スイッチ９４を切り換える。なお、コンセント９０は、電力線モデム９６にて分離された電力の一部を使用して動作するように構成されている。
【００７７】
以下に、電源制御装置６０が実行する電力監視処理の手順を、図１０を用いて説明する。図１０は、電力監視処理を表すフローチャートである。
この電力監視処理は、電力線モデム７０にて分離された検出信号が入力されることにより開始され、まず、Ｓ４１０にて、入力された検出信号を読み取り、検出信号に含まれるコンセント９０の識別情報及びそのコンセント９０にて検出された電流量と、に基づいて、電流量をコンセント９０毎に記憶部７４に保存する。そして、全てのコンセント９０の電流量を保存すると、Ｓ４１５に移行して、Ｓ４１０にて保存した電流量と、記憶部７４に記憶された各コンセント９０の使用中の電力線情報と、に基づいて、分電盤５５側の電力線Ｘ１，Ｘ２の電流量を算出する。そして、続くＳ４２０では、算出した電流量が予め設定された限界値（本実施形態では１８アンペア）より大きいか否かを判断し、電流量が限界値より大きい場合には（Ｓ４２０：ＹＥＳ）、Ｓ４３０に移行して、電流量が限界値を超えた電力線が、この電力線を副電力線とするコンセント９０に電力を供給しているか否かを判断する。つまり、電力線の使用状況が例えば図９（ａ）に示すような場合に、電力線Ｘ１の電流量が限界値を超えた場合には、電力線Ｘ１を副電力線とするコンセントＤ，Ｅ，Ｆの中に、電力線Ｘ１から電力を供給されているものがあるか否かを、記憶部７４に記憶された使用中の電力線情報に基づいて判断する。
【００７８】
そして、Ｓ４３０にて、限界値を超えた電力線を副電力線とするグループのコンセント９０の中に、この副電力線から電力を供給されているコンセントがないと判断すると（Ｓ４３０：ＮＯ）、Ｓ４４０に移行して、限界値を超えた電力線を主電力線とするグループ
の中に、電力線切換部６４による接続先の電力線の切り換えが許可されているコンセント９０があるか否かを、切換情報に基づいて判断する。ここで、切り換えが許可されたコンセント９０がある場合には（Ｓ４４０：ＹＥＳ）、Ｓ４４５に移行して、切り換えが許可されたコンセント９０のうちの１つを、電力線切換部６４のスイッチ（第１切換スイッチ６６または第２切換スイッチ６８）の切り換えを行うコンセント９０として、予め設定された規則（例えば、電流量の大きい順）に基づいて選択し、Ｓ４５０に移行する。
【００７９】
そして、Ｓ４５０では、選択したコンセント９０の電流量と、このコンセント９０の副電力線の電流量と、を積算し、積算した電流量が予め設定された判定値（本実施形態では１８アンペア）より大きいか否かを判断し、積算電流量が判定値以下である場合には（Ｓ４５０：ＮＯ）、選択したコンセント９０の接続先を副電力線に切り換え可能であると判断してＳ４６０に移行し、Ｓ４６０では、このコンセント９０に対するスイッチの切換指令を、電力線切換部６４に出力することにより、このコンセント９０の接続先を副電力線に切り換えて、Ｓ４７０に移行する。
【００８０】
次に、Ｓ４７０では、記憶部７４に記憶された使用中の電力線情報を更新すると共に、切換フラグをセットし、続くＳ４８０にて、更新した電力線情報、切換フラグのセット状態、及び、Ｓ４１０にて読み取った電流量に基づいて、表示部７８に表示された電力線使用状況を更新し、Ｓ５６０に移行する。
【００８１】
一方、Ｓ４２０にて、算出した電流量が限界値以下であると判断した場合には（Ｓ４２０：ＮＯ）、Ｓ４９０に移行して、記憶部７４に保存された電流量に基づいて、表示部７８に表示された電力線使用状況を更新し、Ｓ５６０に移行する。
【００８２】
また、Ｓ４３０にて、限界値を超えた電力線を副電力線とするコンセント９０の中に、副電力線から電力を供給されているコンセント９０があると判断した場合には（Ｓ４３０：ＹＥＳ）、Ｓ５００に移行して、副電力線から電力供給を受けているコンセント９０に対するスイッチの切換指令を、電力線切換部６４に出力することにより、このコンセント９０の接続先を主電力線に切り換えて、Ｓ５１０に移行する。そして、Ｓ５１０では、記憶部７４に記憶された使用中の電力線情報を更新すると共に、切換フラグをリセットし、続くＳ５２０にて、更新した電力線情報、切換フラグのセット状態、及び、電流量に基づいて、表示部７８に表示された電力線使用状況を更新し、Ｓ５６０に移行する。
【００８３】
一方、Ｓ４４０にて、限界値を超えた電力線を主電力線とするグループの中に切り換えを許可されたコンセント９０がないと判断した場合には（Ｓ４４０：ＮＯ）、Ｓ５２５に移行して、限界値を超えた電力線を主電力線とするグループのコンセント９０のうちの１つを、電力線切換部６４の切り換えを行うコンセント９０として、予め設定された規則（例えば、電流量の大きい順）に基づいて選択し、続くＳ５３０では、選択したコンセント９０の遮断スイッチ９４をオフ状態に切り換える遮断指令からなる制御信号を電力線モデム２８に出力する。次に、Ｓ５４０では、記憶部７４に記憶された使用中の電力線情報を遮断中に更新し、続くＳ５５０にて、更新した電力線情報、及び、電流量に基づいて、表示部７８に表示された電力線使用状況を更新し、Ｓ５６０に移行する。
【００８４】
また、Ｓ４５０にて、積算した電流量が判定値より大きいと判断した場合には（Ｓ４５０：ＹＥＳ）、選択したコンセント９０の接続先を副電力線に切り換え不可能であると判断して、Ｓ５３０に移行する。
【００８５】
そして、Ｓ５６０では、Ｓ４１０にて算出した全ての電流量に対して、電流量が限界値より小さいか否かの判断が終了したか否かを判断し、全て電力線の電流量に対して終了していない場合には（Ｓ５６０：ＮＯ）、Ｓ４２０に移行して、Ｓ４２０からの処理を全て
の電力線に対して実行する。一方、全ての電力線の電流量に対して終了したと判断した場合には（Ｓ５６０：ＹＥＳ）、Ｓ５７０に移行して、切換フラグがセットされているコンセント９０があるか否かを判断する。ここで、切換フラグがセットされているコンセント９０がある場合には（Ｓ５７０：ＹＥＳ）、Ｓ５８０に移行して、切換フラグがセットされたコンセントの主電力線と同じ主電力線とするグループの電流量を積算し、続くＳ５９０にて算出した電流量が予め設定された限界値よりも小さいか否かを判断する。
【００８６】
そして、Ｓ５９０にて、算出した電流量が限界値よりも小さいと判断した場合には（Ｓ５９０：ＹＥＳ）、Ｓ６００に移行して、切換フラグがセットされているコンセント９０に対するスイッチの切換指令を、電力線切換部６４に出力することにより、このコンセント９０の接続先を主電力線に切り換える。また、続くＳ６１０では、記憶部７４に記憶された使用中の電力線情報を更新すると共に、切換フラグをリセットし、続くＳ６２０にて、更新した電力線情報、切換フラグのセット状態、及び、電流量に基づいて、表示部７８に表示された電力線使用状況を更新し、当該処理を終了する。
【００８７】
一方、Ｓ５７０にて、切換フラグがセットされているコンセント９０がないと判断した場合（Ｓ５７０：ＮＯ）、Ｓ５９０にて、算出した電流量が限界値以上であると判断した場合には（Ｓ５９０：ＮＯ）、当該処理を終了する。
【００８８】
以下、電力線の使用状況が、図９（ａ）に示すような場合であるときに、コンセントＣにて５アンペアの電流量が検出された場合において、制御部７２にて実行される処理について説明する。処理が開始されると、まず、Ｓ４１０にて、電力線Ｙ１〜Ｙ６を流れる電流量が記憶部７４に夫々保存され、Ｓ４１５にて、電力線Ｘ１及び電力線Ｘ２を流れる電流量が算出される。そして、Ｓ４２０にて、電力線Ｘ１の電流量が限界値を超えたと判断され、Ｓ４３０にて、電力線Ｘ１が、電力線Ｘ１を副電力線とするグループ２のコンセントＤ，Ｅ，Ｆに電力を供給していないと判断される。次に、Ｓ４４０では、電力線Ｘ１を主電力線とするグループ１のコンセントＡ，Ｂ，Ｃの中から、切り換えを許可されたコンセントがあるか否かが判断され、Ｓ４４５にて、コンセントＢが選択される。
【００８９】
そして、Ｓ４５０にて、副電力線である電力線Ｘ２の電流量１０アンペアと、切換情報が許可のコンセントＢにて検出された電流量７アンペアと、が積算され、積算された値が判定値１８アンペアよりも小さいために副電力線への切換が可能と判断される。次に、Ｓ４６０では、コンセントＢに接続された第１切換スイッチ６６ｂの接続先を電力線Ｘ１から電力線Ｘ２に切り換える切換指令が出力され、Ｓ４７０では、記憶部７４に記憶された使用中の電力線情報が電力線Ｘ１から電力線Ｘ２に更新されると共に、コンセントＢの切換フラグがセットされる。また、Ｓ４８０では、図９（ｂ）に示すように、コンセントＢの電力線情報はＸ１からＸ２に更新され、切換フラグはＯＦＦからＯＮに更新され、電流量は、０Ａから５Ａに更新されると共に、コンセントＢの欄に、副電力線に切り換えられていることを示すハッチがかけられる。なお、図９（ａ）は、Ｓ４８０による更新前の電力線使用状況であり、図９（ｂ）は、更新後の電力線使用状況である。ここで、図９（ｂ）に示す電流量は、処理の最初に読み取った電流量であるため、電力線切換部６４の切り換え前の電流量が表示されている。
【００９０】
次に、コンセント９０の制御部１００が実行する電流検出処理の手順を、図１１を用いて説明する。図１１は、電流検出処理を表すフローチャートである。
電流検出処理は、電源が投入されている間繰り返し実行される処理であり、まずＳ７１０にて、電流検出部９８にて検出された電流量を読み取り、続くＳ７２０では、読み取った電流量と、コンセント９０の識別情報と、からコンセント９０、つまり、電力線Ｙ１を流れる電流量を表す検出信号を電力線モデム９６に入力し、この検出信号を、電力線モデム９６を介して電源制御装置６０側の電力線Ｙ１に出力させる。
【００９１】
そして、Ｓ７３０では、電力線モデム９６を介して制御信号を受信したか否かを判断し、制御信号を受信した場合には（Ｓ７３０：ＹＥＳ）、Ｓ７４０に移行して、制御信号が遮断指令か否かを判断し、遮断指令である場合には（Ｓ７４０：ＹＥＳ）、Ｓ７５０に移行して、遮断スイッチ９４をオフ状態に切り換え、Ｓ７７０に移行する。一方、Ｓ７４０で、制御信号が遮断指令でないと判断した場合には（Ｓ７４０：ＮＯ）、遮断復帰指令であると判断し、Ｓ７６０に移行して、遮断スイッチ９４をオン状態に切り換え、Ｓ７７０に移行する。また、Ｓ７３０にて制御信号を受信していないと判断した場合には（Ｓ７３０：ＮＯ）、Ｓ７７０に移行する。
【００９２】
次に、Ｓ７７０では、Ｓ７１０にて電流量を検出してから予め設定された所定時間が経過したか否かを判断し、所定時間が経過していない場合には（Ｓ７７０：ＮＯ）、所定時間が経過するまで、Ｓ７７０の処理を繰り返し実行し、一方、所定時間が経過したと判断した場合には（Ｓ７７０：ＹＥＳ）、Ｓ７１０に移行して、Ｓ７１０からの処理を実行する。このため、コンセント９０からは所定時間毎に、電源制御装置６０に対して、電流量を表す検出信号が送信される。
【００９３】
以上説明したように、第２実施形態の電力供給システムにおいては、各コンセント９０が、通常接続されている主電力線と、主電力線に流れる電流量が限界値を超えた場合に接続される副電力線の種類によりグループ分けされている。そして、例えば、主電力線の電流量が予め設定された限界値を超えたときに、電力線切換部６４の切り換えを許可されたコンセント９０の接続先が、主電力線から、副電力線に切り換えられる。このため、主電力線を流通する電流量が分岐ブレーカ１６による遮断電流量を超えて、電力が遮断されることを防止できると共に、コンセント９０に接続された各電子機器５０は主電力線または副電力線から電力供給を受けることができるので、外部から供給された電力を有効に利用し、使用中の電子機器５０に対する安定した電力供給が可能となる。
【００９４】
また、特に、第２実施形態の電力供給システムにおいては、コンセント９０の電流検出部９８により、コンセント９０を流れる電流量が検出され、各コンセント９０にて検出された電流量を積算することで、電力線Ｘ１，Ｘ２を流れる電流量を検出するように構成されている。そして、主電力線を流れる電流量が予め設定された限界値を超えた場合に、副電力線を流れる電流量と、接続先の切り換えを許可されたコンセント９０を流れる電流量とを積算することにより、このコンセント９０の接続先を切り換えた場合に副電力線に流れる電流量が判定値を超えるか否かを判断しているので、副電力線の電流量が分岐ブレーカ１６の遮断電流量を超えて電力が遮断されてしまい、副電力線に接続された全てのコンセント９０が使用できなくなることをより確実に防止できる。
【００９５】
そして、主電力線（例えば、電力線Ｘ１）を流れる電流量が予め設定された限界値を超えた場合には、まず、電力線Ｘ１を副電力線とするコンセント９０（例えば、コンセントＤ〜Ｆ）のうち、電力線Ｘ１から電力の供給を受けているコンセント９０の接続先を、そのコンセント９０の主電力線である電力線Ｘ２に切り換えるようにしているので、主電力線による電力供給、つまり、同じグループのコンセント９０への電力供給を優先させることができる。
【００９６】
また、第２実施形態の電力供給システムにおいては、コンセント９０の接続先が副電力線に切り換えられた状態において、コンセント９０の接続先を主電力線に切り換えた場合の主電力線の電流量が限界値を超えるか否かを判断し、限界値を超えない場合に、コンセント９０を主電力線に切り換えるので、つまり、切り換え後に主電力線が分岐ブレーカ１６により遮断されるおそれが無い場合に、コンセント９０の接続先を自動的に主電力線に復帰させることができる。
【００９７】
なお、本実施形態において、電力線Ｘ１，Ｘ２が本発明の給電経路に相当し、電流検出部９８が本発明の第２電流検出手段に相当し、Ｓ４１５の処理が本発明の第１電流検出手段に相当し、コンセント９０が本発明の電源端子に相当し、電力線切換部６４が本発明の接続切換手段に相当し、遮断スイッチ９４が本発明の遮断手段に相当し、Ｓ４２０〜Ｓ４６０、Ｓ５００、Ｓ５３０の処理が切換制御手段に相当し、Ｓ４５０の処理が本発明の判定手段に相当し、Ｓ４４５、Ｓ５２５の処理が本発明の選択手段に相当し、Ｓ４７０、Ｓ５７０〜Ｓ６２０の処理が本発明の復帰手段に相当する。
【００９８】
以上、本発明の一実施形態について説明したが、本発明は、種々の形態を採り得ることは言うまでもない。
上記各実施形態においては、電力線を用いた電力線通信により分電盤１０または電源制御装置６０にてコンセント３０，９０を制御したが、必ずしも電力線を用いなくてもよく、他の通信ラインを用いるようにしてもよい。
【００９９】
上記第１実施形態においては、全てのコンセント３０に本発明の接続切換手段である電力線切換部３４を設けるようにしたが、例えば、電力を切り換えても差し支えのない電子機器５０を接続するコンセントのみを本実施形態コンセント３０を適用し、他のコンセントは通常のコンセントとするようにしてもよい。そして、このような場合には、切換情報を設定せず、限界値より大きい電流量が検出された場合には、その電力線に接続された全てのコンセント３０の電力線切換部３４を切り換えるようにしてもよい。
【０１００】
また、上記各実施形態においては、本発明の切換制御手段を、分電盤１０または電源制御装置６０にて構成したが、例えば、コンセントを介して電力線に接続されたパソコンにより構成してもよい。
【符号の説明】
【０１０１】
５…引き込み線、１０…分電盤、１２…契約ブレーカ、１４…主幹ブレーカ、１６…分岐ブレーカ、１８…電流検出部、２０…制御部、２２…記憶部、２４…操作部、２６…表示部、２８…電力線モデム、３０…コンセント、３０…本実施形態コンセント、３２（３２ａ，３２ｂ）…入力端子、３４…電力線切換部、３６…電力線モデム、３８…制御部、４０…報知部、４２…出力端子、５０…電子機器、５５…分電盤、６０…電源制御装置、６２…入力端子、６４…電力線切換部、６６（６６ａ〜６６ｃ）…第１切換スイッチ、６８（６８ａ〜６８ｃ）…第２切換スイッチ、７０…電力線モデム、７２…制御部、７４…記
憶部、７６…操作部、７８…表示部、８０…出力端子、９０…コンセント、９２…入力端子、９４…遮断スイッチ、９６…電力線モデム、９８…電流検出部、１００…制御部、１０２…出力端子
【図１】
2011097827.tif 000003
【図２】
2011097827.tif 000004
【図３】
2011097827.tif 000005
【図４】
2011097827.tif 000006
【図５】
2011097827.tif 000007
【図６】
2011097827.tif 000008
【図７】
2011097827.tif 000009
【図８】
2011097827.tif 000010
【図９】
2011097827.tif 000011
【図１０】
2011097827.tif 000012
【図１１】
2011097827.tif 000013